【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
コンピューティングデバイスによって実行されると方法を実行するコンピューター実行可能命令を格納する１つ又は複数のコンピューター読み取り可能なメモリー又は記憶デバイスであって、前記方法は、
コンピューティングデバイスがロック状態のままである間に、
多重アクセスレベルロック画面ユーザーインターフェイス中に複数のロック画面ペインのうちの第１のロック画面ペインを提示するステップであって、前記複数のロック画面ペインの各々は複数のアクセスレベルのうちの異なるものに関連付けられ、前記複数のアクセスレベルの各々は前記コンピューティングデバイス上の対応する異なる機能を有する、ステップと、
選択入力を受け取るステップと、
前記選択入力に応答して、前記コンピューティングデバイスの前記多重アクセスレベルロックユーザーインターフェイス中に第２のロック画面ペインを提示するステップと
を含むコンピューター読み取り可能なメモリー又は記憶デバイス。
【請求項２】
前記選択入力は前記コンピューティングデバイスのタッチスクリーン上での１つ又は複数の水平方向のジェスチャーを含み、前記第２のロック画面ペインを提示するステップは、前記第２のロック画面ペインを前記タッチスクリーンの表示領域内へと水平方向に移動させるステップ含む請求項１に記載のコンピューター読み取り可能なメモリー又は記憶デバイス。
【請求項３】
前記第２のロック画面ペインはそれぞれのアクセスレベルの視覚的インジケーターを含む請求項１に記載のコンピューター読み取り可能なメモリー又は記憶デバイス。
【請求項４】
前記方法は、
前記第２のロック画面ペインを介してロック解除入力を受け取るステップと、
前記第２のロック画面ペインに関連付けられるアクセスレベルに対応する前記コンピューティングデバイス上の機能を有効にするのに前記ロック解除入力が十分であるか否かを判定するステップと
をさらに含む請求項１に記載のコンピューター読み取り可能なメモリー又は記憶デバイス。
【請求項５】
前記方法は、前記判定に基づいて、前記第２のロック画面ペインに関連付けられる前記アクセスレベルに関連付けられる機能を有効にするステップをさらに含む請求項４に記載のコンピューター読み取り可能なメモリー又は記憶デバイス。
【請求項６】
前記ロック解除入力がパスワード入力を含む請求項４に記載のコンピューター読み取り可能なメモリー又は記憶デバイス。
【請求項７】
前記ロック解除入力がタッチスクリーン入力を含む請求項４に記載のコンピューター読み取り可能なメモリー又は記憶デバイス。
【請求項８】
前記複数のアクセスレベルはフルアクセスレベル及び複数の部分的アクセスレベルを含み、前記部分的アクセスレベルは基本アクセスレベル及び拡張アクセスレベルを含み、前記拡張アクセスレベルに関連付けられる機能は前記基本アクセスレベルに関連付けられる機能よりも多く前記フルアクセスレベルに関連付けられる機能よりも少ない請求項１に記載のコンピューター読み取り可能なメモリー又は記憶デバイス。
【請求項９】
前記基本アクセスレベルに関連付けられる前記機能は通話機能を含む請求項８に記載のコンピューター読み取り可能なメモリー又は記憶デバイス。
【請求項１０】
前記複数のアクセスレベルのうちの少なくとも１つはユーザー定義可能なアクセスレベルである請求項１に記載のコンピューター読み取り可能なメモリー又は記憶デバイス。
【請求項１１】
前記ユーザー定義可能なアクセスレベルに関連付けられる機能はユーザーによって選択される少なくとも１つのリソースへのアクセスを含む請求項１０に記載のコンピューター読み取り可能なメモリー又は記憶デバイス。
【請求項１２】
前記少なくとも１つのリソースはアプリケーションを含む請求項１１に記載のコンピューター読み取り可能なメモリー又は記憶デバイス。
【請求項１３】
前記少なくとも１つのリソースはアプリケーションのグループを含む請求項１１に記載のコンピューター読み取り可能なメモリー又は記憶デバイス。
【請求項１４】
モバイルコンピューティングデバイスがロック状態のままである間に、
表示領域を有する前記モバイルコンピューティングデバイスのタッチスクリーン上で、複数のロック画面ペインを含むグラフィカルユーザーインターフェイス中にデフォルトのロック画面ペインを表示するステップであって、前記デフォルトのロック画面ペインはデフォルトのアクセスレベルに関連付けられ、前記デフォルトのロック画面ペインは前記モバイルコンピューティングデバイスがロック状態にあることの視覚的指示を含む、ステップと、
前記タッチスクリーン上でのジェスチャー入力を含む選択入力を受け取るステップと、
前記選択入力に基づいて前記デフォルトのロック画面ペイン以外のロック画面ペインを選択するステップと、
表示されるロック画面ペインを前記デフォルトのロック画面ペインから前記選択されたロック画面ペインに変更するステップであって、前記選択されたロック画面ペインは前記デフォルトのアクセスレベルとは異なるアクセスレベルに関連付けられる、ステップと、
前記選択されたロック画面ペインにおいてロック解除入力を受け取るステップと、
前記選択されたロック画面ペインに関連付けられるアクセスレベルに対応する前記モバイルコンピューティングデバイス上の機能を有効にするのに前記ロック解除入力が十分であるか否かを判定するステップと、
前記判定に応答して前記ロック状態を終了するステップと、
前記ロック状態が終了したことの視覚的指示を前記表示領域に表示するステップと、
前記選択されたロック画面ペインに関連付けられるアクセスレベルに対応する機能を有効にするステップと
を含むコンピューターにより実施される方法。
【請求項１５】
前記第２のロック画面ペインが提示される場合に前記第１のロック画面ペインが前記ユーザーインターフェイスから除去される請求項１に記載のコンピューター読み取り可能なメモリー又は記憶デバイス。
【請求項１６】
１つ又は複数のプロセッサーと、
ディスプレイと、
前記１つ又は複数のプロセッサーによって実行されると方法を実行するコンピューター実行可能命令を格納する１つ又は複数のコンピューター読み取り可能なメモリーであって、前記方法は、
コンピューティングデバイスがロック状態のままである間に、
前記ディスプレイ上でユーザーインターフェイス中にデフォルトのロック画面ペインを提示するステップであって、前記デフォルトのロック画面ペインは前記コンピューティングデバイスの機能へのデフォルトのアクセスレベルに関連付けられる、ステップと、
第１の選択入力を受け取るステップと、
前記第１の選択入力に応答して、前記ディスプレイ上で前記ユーザーインターフェイス中に第２のロック画面ペインを提示するステップであって、前記第２のロック画面ペインは前記コンピューティングデバイスの機能への第１の制限されたアクセスレベルに関連付けられ、前記第１の制限されたアクセスレベルは前記デフォルトのレベルよりも少ない機能へのアクセスを提供する、ステップと、
第２の選択入力を受け取るステップと、
前記第２の選択入力に応答して、前記コンピューティングデバイスの前記ユーザーインターフェイス中に第３のロック画面ペインを提示するステップであって、前記第３のロック画面ペインは前記コンピューティングデバイスの機能への第２の制限されたアクセスレベルに関連付けられ、前記第２の制限されたアクセスレベルは前記デフォルトのレベルよりも少ない機能へのアクセスを提供する、ステップと
を含む、１つ又は複数のコンピューター読み取り可能なメモリーと
を備えるコンピューティングデバイス。
【請求項１７】
前記第１及び第２の制限された機能は、通話機能、メッセージ機能又はウェブブラウジング機能のうちの少なくとも１つを含む請求項１６に記載のコンピューティングデバイス。
【請求項１８】
前記方法は、
前記コンピューティングデバイスのタッチスクリーン上での１つ又は複数のジェスチャーを含むロック解除入力を受け取るステップと、
前記第１のアクセスレベルに関連付けられる前記第２の制限された機能を有効にするのに前記ロック解除入力が十分であるか否かを判定するステップと
をさらに含む請求項１６に記載の方法。
【請求項１９】
前記第２のロック画面ペインが提示される場合に前記第１のロック画面ペインが前記ユーザーインターフェイスから除去され、前記第３のロック画面ペインが提示される場合に前記第２のロック画面ペインが前記ユーザーインターフェイスから除去される請求項１６に記載のコンピューティングデバイス。
【請求項２０】
前記デフォルトのロック画面ペイン、前記第２のロック画面ペイン及び前記第３のロック画面ペインの各々は、それぞれのロック画面ペインが関連付けられる機能を表すインジケーターを含む請求項１６に記載のコンピューティングデバイス。